(57)【要約】【課題】大きな樹木であっても根を傷めることなく確実に移植できる樹木の移植方法を提供する。【解決手段】移植すべき樹木２の両側の土壌に開閉自在なバケット４を差し込むと共に、そのバケット４間に樹木２の根鉢３を挟みながら持ち上げ、その根鉢３をバケット４ごと移動ソリ５に載せ、その移動ソリ５で樹木２の姿勢を保持しながら移植地まで移動させるものである。【選択図】図１
2013158299.tif 000002
【特許請求の範囲】
【請求項１】
移植すべき樹木の両側の土壌に開閉自在なバケットを差し込むと共に、そのバケット間に樹木の根鉢を挟みながら持ち上げ、その根鉢をバケットごと移動ソリに載せ、その移動ソリで樹木の姿勢を保持しながら移植地まで移動させることを特徴とする樹木の移植方法。
【請求項２】
上記移動ソリは、複数平行に並べられると共に水平に並べられた長尺のスキー部材と、これらスキー部材上に掛け渡して設けられ上記バケットを載せるための荷台部材と、上記スキー部材の長手方向の前後に離間して設けられ上記バケットの前後方向の移動を規制するための係止部とを備えた請求項１記載の樹木の移植方法。
【請求項３】
上記バケット間に樹木の根鉢を挟んだとき、上記樹木の幹にリングを取り付け、該リングと上記バケットとを索で連結して樹木を支持する請求項１又は２記載の樹木の移植方法。
【請求項４】
上記バケット間に樹木の根鉢を挟んだとき、それぞれのバケットに索を取り付け、該索にターンバックルを取り付けると共にターンバックルで索を締めて左右のバケットの開成を規制する請求項１〜３のいずれかに記載の樹木の移植方法。
【請求項５】
移植すべき樹木の根鉢を挟みながら持ち上げるための開閉自在なバケットと、上記根鉢をバケットごと載せて移動させるための移動ソリと、該移動ソリを移動させるソリ移動手段とを備えたことを特徴とする樹木の移植装置。
【請求項６】
上記移動ソリは、複数平行に並べられると共に水平に並べられた長尺のスキー部材と、これらスキー部材上に掛け渡して設けられ上記バケットを載せるための荷台部材と、上記スキー部材の長手方向の前後に離間して設けられ上記バケットの前後方向の移動を規制するための係止部とを備えた請求項５記載の樹木の移植装置。
【請求項７】
上記係止部は、上記スキー部材に左右方向に起倒自在に設けられた係止ポールからなり、上記バケットには、上記係止ポールに係合されるストッパが前後方向に延長して設けられた請求項６記載の樹木の移植装置。
【発明の詳細な説明】
【技術分野】
【０００１】
本発明は、植生する樹木の移植方法及び移植装置に関するものである。
【背景技術】
【０００２】
樹木の移植方法としては、特許文献１記載のものが知られている。この移植方法は、走行装置の前方に設けた開閉自在なバケットで樹木を土壌ごと掬い上げると共に、樹木の幹部に向けて押圧帯を押し出し、バケット上で樹木が起立するように保持するものである。かかる方法によれば、樹木を効率よく容易に掬い上げることができ、移植地まで容易に搬送でき、容易に移植地に樹木を植え直すことができた。
【先行技術文献】
【特許文献】
【０００３】
【特許文献１】特許第３６９２３６３号公報
【特許文献２】特許第４３６３９３２号公報
【発明の概要】
【発明が解決しようとする課題】
【０００４】
ところで、上述の移植方法でより大きな樹木を移動・移植させる場合、より大きなバケットが必要になるが、上述の移植方法では、樹木を走行装置側に若干傾けて保持するため、樹木の大きさによっては根を傷める可能性があるという課題があった。
【０００５】
そこで、本発明の目的は、上記課題を解決し、大きな樹木であっても根を傷めることなく確実に移植できる樹木の移植方法及び移植装置を提供することにある。
【課題を解決するための手段】
【０００６】
上記課題を解決するために本発明は、移植すべき樹木の両側の土壌に開閉自在なバケットを差し込むと共に、そのバケット間に樹木の根鉢を挟みながら持ち上げ、その根鉢をバケットごと移動ソリに載せ、その移動ソリで樹木の姿勢を保持しながら移植地まで移動させるものである。
【０００７】
上記移動ソリは、複数平行に並べられると共に水平に並べられた長尺のスキー部材と、これらスキー部材上に掛け渡して設けられ上記バケットを載せるための荷台部材と、上記スキー部材の長手方向の前後に離間して設けられ上記バケットの前後方向の移動を規制するための係止部とを備えるとよい。
【０００８】
上記バケット間に樹木の根鉢を挟んだとき、上記樹木の幹にリングを取り付け、該リングと上記バケットとを索で連結して樹木を支持するとよい。
【０００９】
上記バケット間に樹木の根鉢を挟んだとき、それぞれのバケットに索を取り付け、該索にターンバックルを取り付けると共にターンバックルで索を締めて左右のバケットの開成を規制するとよい。
【００１０】
また、移植すべき樹木の根鉢を挟みながら持ち上げるための開閉自在なバケットと、上記根鉢をバケットごと載せて移動させるための移動ソリと、該移動ソリを移動させるソリ移動手段とを備えて樹木の移植装置を形成したものである。
【００１１】
上記移動ソリは、複数平行に並べられると共に水平に並べられた長尺のスキー部材と、これらスキー部材上に掛け渡して設けられ上記バケットを載せるための荷台部材と、上記スキー部材の長手方向の前後に離間して設けられ上記バケットの前後方向の移動を規制するための係止部とを備えるとよい。
【００１２】
上記係止部は、上記スキー部材に左右方向に起倒自在に設けられた係止ポールからなり、上記バケットには、上記係止ポールに係合されるストッパが前後方向に延長して設けられるとよい。
【発明の効果】
【００１３】
本発明によれば、大きな樹木であっても確実に移植できる。
【図面の簡単な説明】
【００１４】
【図１】本実施の形態に係るバケットと移動ソリの使用状態を示す正面図である。
【図２】バケットと移動ソリ係合状態を示す要部側面説明図である。
【図３】移動ソリの使用状態を示す側面図である。
【図４】移動ソリの使用状態を示す平面図である。
【図５】移動ソリの斜視図である。
【図６】樹木の根鉢を挟んだバケットを移動ソリ上に載せる作業の説明図である。
【図７】移動ソリで樹木を移動させる作業の説明図である。
【図８】バケットの変形例を示す斜視図である。
【発明を実施するための形態】
【００１５】
本発明の好適実施の形態について説明する。
【００１６】
まず、樹木の移植装置について説明する。
【００１７】
図６及び図７に示すように、移植装置１は、移植すべき樹木２の根鉢３を挟みながら持ち上げるための開閉自在な一対のバケット４と、根鉢３をバケット４ごと載せて移動させるための移動ソリ５と、移動ソリを移動させるソリ移動手段２８とを備える。
【００１８】
バケット４は、走行装置６の前方に形成された昇降自在な昇降フレーム７の両側にリンク機構８を介して左右に開閉自在に設けられている。バケット４は、それぞれ湾曲して形成された底板９と、底板９の両端に設けられた端板１０とからなる。左右のバケット４は、近接されたときポット状に合体されるように略左右対称に形成されている。また特にバケット４は、小さな樹木を持ち上げる従来のものより底高を短く形成されると共に、前後左右方向の寸法を広く形成されている。これは、樹木２が生育するために必要な根（図示せず）を移植元に残さずに移植するためである。発明者のこれまでの実務経験により、地下１ｍ程のところまでに樹木２が生育するために必要な根が集中していることが解っており、バケット４の形状を上述のように変更することにより、より大きな樹木２に対応することができる。
【００１９】
図１及び図２に示すように、バケット４の前後両端の端板１０には、後述する移動ソリ５の係止ポール（係止部）１１に係合されるストッパ１２がそれぞれ設けられている。ストッパ１２は、棒状に形成されており、バケット４から前後に延出するようにそれぞれの端板１０に設けられている。また、ストッパ１２の先端部には、チェーン１３、１４を掛けるためのフック１５が設けられている。
【００２０】
図３、図４、及び図５に示すように、移動ソリ５は、複数平行に並べられると共に水平に並べられた長尺のスキー部材１６と、これらスキー部材１６上に掛け渡して設けられバケット４を載せるための荷台部材１７と、スキー部材１６の長手方向の前後に離間して設けられバケット４の前後方向の移動を規制するための係止ポール１１とを備える。
【００２１】
スキー部材１６は、Ｈ形鋼からなる。スキー部材１６は、進行方向の前後の両端を上方に屈曲されている。スキー部材１６は、Ｈ形鋼の一方のフランジ面で滑走面たる底面１８を形成すると共に他方のフランジ面で上面１９を形成する。また、スキー部材１６は移動ソリ５の左右両側と中央との３箇所に配置されている。これらスキー部材１６の前端には、フロントビーム２０が掛け渡して設けられている。フロントビーム２０は、スキー部材１６と同じ断面積のＨ形鋼からなる。フロントビーム２０は、一対のフランジ面を前後に向けて配置されている。
【００２２】
荷台部材１７は、平面長方形の鋼板からなり、スキー部材１６の前後の中央に配置されている。荷台部材１７は、移動ソリ５の左右方向に長手方向を向けて配置されると共に左右両側を左右のスキー部材１６から延出させるように配置されている。
【００２３】
係止ポール１１は、スキー部材１６に左右方向に起倒自在に設けられている。係止ポール１１は、左右両側のスキー部材１６の前部と後部とにそれぞれヒンジ（図示せず）を介して設けられている。係止ポール１１の前後の間隔は、バケット４の前後の長さより広く形成されており、前後の係止ポール１１間にバケット４を配置できるようになっている。また、係止ポール１１は、左右のスキー部材１６間の内側に倒れるようにそれぞれ設けられており、荷台部材１７上にバケット４を載置するとき作業の邪魔にならないようになっている。係止ポール１１は、スキー部材１６よりも断面寸法が小さなＨ形鋼からなる。係止ポール１１は、傾倒されたとき、移動ソリ５の左右中央のスキー部材１６上に回動先端を載せるように長さを決定されている。また、係止ポール１１は、傾倒されたとき一対のフランジ面２１を上下に向けるように配置されており、スキー部材１６に広い面積で当接するようになっている。係止ポール１１は、起立されたとき荷台部材１７上のバケット４のストッパ１２に嵌合される鉤部２２を有する。鉤部２２は、係止ポール１１に鉤型の切欠を形成してなる。鉤部２２は、係止ポール１１が傾倒されたとき回動先端側の上部に位置するように形成されており、起立方向に回動されたときバケット４から前後に突出するストッパ１２に嵌合されるようになっている。
【００２４】
ソリ移動手段２８は、無端軌道で走行するブルドーザー等の重機からなる。
【００２５】
次に樹木２の移植方法について説明する。
【００２６】
図６に示すように、予め樹木２の両側の土壌にバケット４を差し込むための溝２３を形成しておくと共に、溝２３に臨む地面２４上に移動ソリ５を待機させておく。このとき、溝２３は、樹木２の根（図示せず）に掛からないように樹木２から適宜離して形成すると共に、互いに平行に形成する。また、好ましくは、バケット４が完全に入る程度の深さ（約１ｍ以上）に形成する。またさらに、移動ソリ５は予め進行方向を移植地へ向けて待機させておくとよい。
【００２７】
この後、バケット４を左右に開き、走行装置６の昇降フレーム７を下降させてそれぞれの溝２３内にバケット４を差し込み、バケット４を閉じる。これにより、バケット４間に樹木２の根が周囲の土壌ごと挟み込まれると共にバケット４内に収容される。しかるのち、図１及び図２に示すように、樹木２の幹にリング２５を取り付け、リング２５とバケット４のフック１５とをチェーン１３で連結して樹木２を支持する。
【００２８】
また、左右のバケット４のフック１５にチェーン１４を取り付け、チェーン１４にターンバックル２６を取り付けると共にターンバックル２６でチェーン１４を締めて左右のバケット４の開成を規制する。このとき、バケット４の前側のフック１５同士をチェーン１４及びターンバックル２６を介して連結すると共に、バケット４の後側のフック１５同士をチェーン１４及びターンバックル２６を介して連結するとバランス良くバケット４の開成を規制できる。
【００２９】
このようにして、樹木２がバケット４に支持されると共にバケット４の開成が規制されたら、バケット４を上昇させて樹木２の根とその周囲の土壌とからなる根鉢３を持ち上げ、その根鉢３をバケット４ごと移動ソリ５上に載せる。このとき、前後の係止ポール１１間にバケット４が位置され、かつ、バケット４の各端板１０が移動ソリ５の係止ポール１１に臨むようにバケット４の姿勢を決めて荷台部材１７上にバケット４を載せる。
【００３０】
この後、それぞれの係止ポール１１をヒンジを中心として回動させて起立させる。係止ポール１１は小断面のＨ形鋼からなるため、手作業で回動させることができる。係止ポール１１は、鉤部２２がバケット４のストッパ１２に嵌合されることで回動を規制され、起立した姿勢に保持され、バケット４が移動ソリ５に係止される。
【００３１】
図７に示すように、移動ソリ５のフロントビーム２０等に牽引ワイヤ２７を取り付け、ソリ移動手段２８で移動ソリ５を牽引すると共に移動ソリ５に走行装置６を追従させて移植地に樹木２を移動させる。樹木２は移動ソリ５で移動されるため、地面２４に凹凸があっても安定して乗り越えることができ、樹木２の根に衝撃がかかることはない。
【００３２】
移動ソリ５が移植地に到達したら係止ポール１１を倒してバケット４の係止を解除し、走行装置６の昇降フレーム７を作動させてバケット４を移動ソリ５上から移植地上に移動させ、バケット４を開いて移植地に樹木２を移植する。樹木２は生育するために必要な根を傷めることなく土壌と共に移植されるため、移植地に安定して速やかに根付くことができる。
【００３３】
このように、移植すべき樹木２の両側の土壌に開閉自在なバケット４を差し込むと共に、そのバケット４間に樹木２の根鉢３を挟みながら持ち上げ、その根鉢３をバケット４ごと移動ソリ５に載せ、その移動ソリ５で樹木２の姿勢を保持しながら移植地まで移動させるため、大きな樹木２であっても根を傷めることなく確実に移植できる。
【００３４】
また、移動ソリ５は、複数平行に並べられると共に水平に並べられた長尺のスキー部材１６と、これらスキー部材１６上に掛け渡して設けられバケット４を載せるための荷台部材１７と、スキー部材１６の長手方向の前後に設けられバケット４の前後方向の移動を規制するための係止ポール１１とを備えるものとしたため、簡易な構造でより大きな樹木２を姿勢を保持しながら移動させることができ、移動中に根に衝撃がかかるのを防ぐことができる。
【００３５】
バケット４間に樹木２の根鉢３を挟んだとき、樹木２の幹にリング２５を取り付け、リング２５とバケット４のストッパ１２とをチェーン１３で連結して樹木２を支持するものとしたため、バケット４上で樹木２が動くのを防ぐことができ、樹木２を安定して移植できる。
【００３６】
バケット４間に樹木２の根鉢３を挟んだとき、それぞれのバケット４のストッパ１２にチェーン１４を取り付け、チェーン１４にターンバックル２６を取り付けると共にターンバックル２６でチェーン１４を締めて左右のバケット４の開成を規制するため、移動中にバケット４が開くのを確実に防ぐことができ、樹木２を安定して移植できる。
【００３７】
係止ポール１１は、スキー部材１６に左右方向に起倒自在に設けられ、バケット４には、係止ポール１１に係合されるストッパ１２が前後方向に延長して設けられるものとしたため、移動ソリ５にバケット４を簡易な構造で容易に係止でき、樹木２の移植を効率よく行うことができる。
【００３８】
なお、ストッパ１２に設けられたフック１５とリング２５とをチェーン１３で連結して樹木２を支持するものとしたが、リング２５とバケット４とを直接チェーン１３で連結して樹木２を支持してもよい。この場合、バケット４にチェーン連結用の穴を形成してもよい。同様に、左右のバケット４の開成をチェーン１４を用いて規制するとき、バケット４に直接チェーン１４を取り付けてもよい。
【００３９】
また、樹木２の支持及びバケット４の開成規制にチェーンを用いるものとしたが、チェーンに限るものではない。チェーン、ワイヤ等の大きな引張力に耐える索であればよい。
【００４０】
荷台部材１７は、一枚の鋼板からなるものとしたが、複数の鋼板からなるものとしてもよい。この場合、複数の鋼板を３本のスキー部材１６間に掛け渡して設けてもよい。また、一対の鋼板を長手方向をスキー部材１６の長手方向に沿うように向けると共に中央のスキー部材１６を境にして左右に配置し、一方の鋼板を中央のスキー部材１６と右側のスキー部材１６との間に掛け渡して設け、他方の鋼板を中央のスキー部材１６と左側のスキー部材１６との間に掛け渡して設けてもよい。
【００４１】
ソリ移動手段２８は、ブルドーザー等の重機からなるものとしたが、走行装置６又は他の装置からなるものとしてもよい。
【００４２】
また、バケットは、走行装置６の昇降フレーム７にリンク機構８を介して開閉自在に設けられたものに限るものではない。図８に示すように、バケット３０は、水平方向に開閉自在なものであればよく、例えばクレーン（図示せず）で吊られるタイプであってもよい。かかるバケット３０は、それぞれクレーンから吊下される２本のワイヤ３１に２本のアーム材３２を介して連結されている。アーム材３２は、それぞれのバケット３０の端板３３に一端側をボルト又は溶接等により固定されると共に、他端側をワイヤ３１に連結されている。また、双方のバケット３０のアーム材同士は、長手方向の中央で交差されると共に交差部分を連結ピン３４を介して回動自在に連結されている。これにより、バケット３０を吊り上げたとき、自重で閉じるようになっている。また、それぞれのバケット３０の端板３３には、上述と同様のストッパ１２が設けられているとよい。かかるバケット３０を用いた場合、樹木２の根鉢３を挟んだバケット３０を移動ソリ５で移動させるとき、移動ソリ５にクレーンを追従させることとなるが、ワイヤ３１に弛みをもたせることで移動ソリ５にクレーンを容易に追従させることができる。
【符号の説明】
【００４３】
１  移植装置
２  樹木
３  根鉢
４  バケット
５  移動ソリ
６  走行装置
７  昇降フレーム
８  リンク機構
９  底板
１０  端板
１１  係止ポール
１２  ストッパ
１３  チェーン
１４  チェーン
１５  フック
１６  スキー部材
１７  荷台部材
１８  底面
１９  上面
２０  フロントビーム
２１  フランジ面
２２  鉤部
２３  溝
２４  地面
２５  リング
２６  ターンバックル
２７  牽引ワイヤ
【図２】
2013158299.tif 000003
【図３】
2013158299.tif 000004
【図４】
2013158299.tif 000005
【図５】
2013158299.tif 000006
【図６】
2013158299.tif 000007
【図７】
2013158299.tif 000008
【図８】
2013158299.tif 000009
【図１】
2013158299.tif 000010